(57)【要約】【目的】強い揺れに対して防振（防震）性を発揮することができる配管吊下支持具を提供することにある。【構成】吊りボルトにより支持される第１配管支持具が横方向外側に延伸する第１係止部・第２係止部に、第２配管支持具・第３配管支持具が重連状態で接続され、  第１配管支持具と、第２配管支持具・第３配管支持具と、の重連接続が、取付面の配管軸方向の前方位置から斜めに吊下げられる第１吊下支持杆・第２配管支持杆が係合される構成であり、  第２配管支持具の第３係止部・第３配管支持具の第４係止部に、取付面の配管軸方向の後方位置から斜めに吊下げられる第３吊下支持杆・第４吊下支持杆がナット螺合され、  少なくとも合計５点支持構成と成る構成である。【選択図】        図１
2018105321.tif 000002
【特許請求の範囲】
【請求項１】
配管を抱持するバンド抱持部と該バンド抱持部の上端部に連接されたバンド端部を有する配管支持具であって、抱持した配管を、天井スラブ等の取付面から複数点支持する配管吊下支持具において、
配管吊下支持具の本体である第１配管支持具が、バンド抱持部によって配管を抱持可能であり、前記バンド端部がタンバックルの如き吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部・第２係止部には、前記第１配管支持具とは別なる２つの配管支持具で
ある第２配管支持具・第３配管支持具の各々の上端部に連設された第１重連用取付部・第２重連用取付部が重連状態で接続取付が各々可能であり、
前記第２配管支持具の第１重連用取付部には第３透孔が、第２重連用取付部には第４透孔が、各々形成され、
前記第２配管支持具・第３配管支持具の各々は、前記配管とは別なる２つの配管である第２配管・第３配管の抱持支持が各々可能な構成であり、
前記第１配管支持具の第１係止部と前記第１重連用取付部との接続取付が、前記取付面であって前記吊りボルトの吊下位置に対して配管軸方向の前方位置又は後方位置に一端が固定されて斜めに吊下げられる吊りボルトの如き第１吊下支持杆の他端が前記第１透孔及び第３透孔に挿通されてナット螺合された状態で係合される構成であると共に、
前記第１配管支持具の第２係止部と前記第２重連用取付部との接続取付が、前記取付面であって前記吊りボルトの吊下位置に対して配管軸方向の前方位置又は後方位置であって且つ前記第１吊下支持杆の一端の固定位置と同方向位置に一端が固定されて斜めに吊下げられる吊りボルトの如き第２吊下支持杆の他端が前記第２透孔及び第４透孔に挿通されてナット螺合された状態で係合される構成であり、
更に、前記第２配管支持具・第３配管支持具には、下端部に第３係止部・第４係止部が各々設けられ、且つ、この第３係止部には第５透孔が、第４係止部には第６透孔が、各々形成され、
前記第３係止部の第５透孔・前記第４係止部の第６透孔の各々には、前記取付面であって前記吊りボルトの吊下位置の配管軸方向の後方位置又は前方位置であって且つ前記第１吊下支持杆及び第２吊下支持杆の一端の固定位置とは逆方向位置に各々の一端が固定されて吊下げられる２本の吊りボルトの如き第３吊下支持杆・第４吊下支持杆の各々の他端が前記第５透孔・第６透孔に各々挿通されてナット螺合された状態で係合される構成であり、
前記吊りボルトによる１点支持と、前記第１吊下支持杆・第２吊下支持杆による前方又は後方からの斜め支持の２点支持と、この２点斜め支持とは逆方向からの前記第３吊下支持杆・第４吊下支持杆による後方又は前方からの２点支持とにより、少なくとも合計５点支持構成と成ること、
を特徴とする配管吊下支持具。
【請求項２】
前記第１係止部・第２係止部の各々が、各々の基点よりも上方部分の前記バンド抱持部の一部を切起された状態で横方向外側に延伸して形成された構成であることを特徴とする請求項１に記載の配管吊下支持具。
【請求項３】
前記第１係止部・第２係止部の各々が、各々の基点よりも下方部分の前記バンド抱持部の一部を切起された状態で横方向外側に延伸して形成された構成であることを特徴とする請求項１に記載の配管吊下支持具。
【請求項４】
前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であること、を特徴とする請求項１に記載の配管吊下支持具。
【請求項５】
前記上方側係止部と前記下方側係止部の各々が、その基点部分から前記バンド抱持部の外周面に沿って折り返し横方向外側に延伸するように折曲された状態で重合された構成であることを特徴とする請求項４に記載の配管吊下支持具。
【請求項６】
前記第１係止部・第２係止部の各々が、前記バンド抱持部の側方部に別材構成の板材の端部を溶接・融着・接着・ネジ留めの如き固着手段により止着した構成であることを特徴とする請求項１に記載の配管吊下支持具。
【請求項７】
前記第１係止部・第２係止部の各々を構成する板材が、断面が略Ｌ字状を有する形状であり、略Ｌ字状の一辺を前記バンド抱持部に止着した構成であることを特徴とする請求項６に記載の配管吊下支持具。
【請求項８】
前記第１係止部・第２係止部の各々が、前記バンド抱持部の側方部が横方向外側に突出するように折曲げて重ねることにより重層状態に形成した構成であることを特徴とする請求項１に記載の配管吊下支持具。
【請求項９】
前記第２配管支持具・第３配管支持具の各々が、両端が接触又は近接して略円形を成して第２配管・第３配管を抱持する第２バンド抱持部・第３バンド抱持部と、第２バンド抱持部・第３バンド抱持部の両端部の各々に連設された第１重連用取付部・第２重連用取付部と、第２バンド抱持部・第３バンド抱持部の各々の下端部分に垂設された第３係止部・第４係止部と、有する構成であることを特徴とする請求項１〜８のいずれかに記載の配管吊下支持具。
【請求項１０】
前記第３係止部・第４係止部の各々が、第２バンド抱持部・第３バンド抱持部の下端部分を基点として該基点より円周方向の一方側部分又は他方側部分を切起された状態で下方向外側に延伸して形成された構成であることを特徴とする請求項９に記載の配管吊下支持具。
【請求項１１】
前記第３係止部・第４係止部の各々が、第２バンド抱持部・第３バンド抱持部の下端部分を基点として該基点の円周方向の両方側部分を各々切り起された状態で下方向外側に各々延伸させて２枚を重合させた状態の構成であることを特徴とする請求項９に記載の配管吊下支持具。
【請求項１２】
２枚を重合させた状態の構成である第３係止部・第４係止部の各々が、切り起こしの基点部分から第２バンド抱持部・第３バンド抱持部の外周面に沿って折り返し横方向外側に延伸するように折曲された状態で重合された構成であることを特徴とする請求項１１に記載の配管吊下支持具。
【請求項１３】
前記第３係止部・第４係止部の各々が、第２バンド抱持部・第３バンド抱持部の下端部分に別材構成の板材の端部を溶接・融着・接着・ネジ留めの如き固着手段により止着した構成であることを特徴とする請求項９に記載の配管吊下支持具。
【請求項１４】
前記第３係止部・第４係止部の各々を構成する板材が、断面が略Ｌ字状を有する形状であり、略Ｌ字状の一辺を前記バンド抱持部に止着した構成であることを特徴とする請求項１３に記載の配管吊下支持具。
【請求項１５】
前記第３係止部・第４係止部の各々が、第２バンド抱持部・第３バンド抱持部の下端部分が下方向外側に突出するように折曲げて重ねることにより重層状態に形成した構成であることを特徴とする請求項９に記載の配管吊下支持具。
【請求項１６】
前記第２配管支持具・第３配管支持具の各々が、相対向して組み合わせることにより円形を成す略半円形状の２つで一組のバンド抱持部と、各々のバンド抱持部の一端から連設された第１重連用取付部・第２重連用取付部を有すると共に、各々のバンド抱持部の他端から連設された第３係止部・第４係止部を有する構成であることを特徴とする請求項１〜８のいずれかに記載の配管吊下支持具。
【発明の詳細な説明】
【技術分野】
【０００１】
本発明は配管吊下支持具に関し、詳しくは天井スラブ等の取付面に、複数本の水道管、ガス管、冷・暖房管等の各種配管を配管軸直交方向への揺れと共に配管軸方向への揺れをも抑制乃至は防止した状態で吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【０００３】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さや装着時の手間等が新たに加わることとなっている。
【０００４】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００５】
以上のことから、現場での部品管理や装着時の手間等が増すことなく、コストアップを抑制することができる配管吊下支持具の要請があることが判った。
【０００６】
更に本発明者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００７】
本発明者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００８】
そこで本発明者は、配管を抱持するバンド抱持部の一部を切り起して切起し係止部を形成し、この切起し係止部に、取付面から吊下げられた１本又は２本の吊下げ支持杆を係合可能とすることにより、２点又は３点吊下げ支持可能な配管吊下支持具を提案した（特許文献４〜６参照）。
【先行技術文献】
【特許文献】
【０００９】
【特許文献１】特開２００４−１５０４５２号
【特許文献２】実用新案登録第２５２４３４０号
【特許文献３】登録実用新案第３１４８３６１号
【特許文献４】登録実用新案第３１５３１８５号
【特許文献５】登録実用新案第３１５３５４５号
【特許文献６】登録実用新案第３１５３５４６号
【発明の概要】
【発明が解決しようとする課題】
【００１０】
本発明者はかかる技術について更に研究を進めたところ、近年、配管類として鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが想定される。
【００１１】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【００１２】
本発明者は、かかる合成樹脂管の配管支持技術について鋭意研究を続けたところ、合成樹脂管は上記したように軽量であるため、従来の鋼管用の支持具が求められるほどの堅牢度・強度等が不要であること、特に、複数本の並列状態で支持する場合において顕著であることを見出した。
【００１３】
そこで本発明の課題は、軽量な合成樹脂管の抱持支持に適したものであって、しかも複数本の配管を並列状態で支持する場合において、現場での部品管理や装着時の手間等が増すことなくコストアップを抑制することができ、且つ強い揺れ（配管軸方向における揺れ、配管軸直交方向における揺れ）に対して防振（防震）性を発揮することができる配管吊下支持具を提供することにある。
【課題を解決するための手段】
【００１４】
上記課題を解決する本発明は下記構成を有する。
【００１５】
１．配管を抱持するバンド抱持部と該バンド抱持部の上端部に連接されたバンド端部を有する配管支持具であって、抱持した配管を、天井スラブ等の取付面から複数点支持する配管吊下支持具において、
配管吊下支持具の本体である第１配管支持具が、バンド抱持部によって配管を抱持可能であり、前記バンド端部がタンバックルの如き吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部・第２係止部には、前記第１配管支持具とは別なる２つの配管支持具で
ある第２配管支持具・第３配管支持具の各々の上端部に連設された第１重連用取付部・第２重連用取付部が重連状態で接続取付が各々可能であり、
前記第２配管支持具の第１重連用取付部には第３透孔が、第２重連用取付部には第４透孔が、各々形成され、
前記第２配管支持具・第３配管支持具の各々は、前記配管とは別なる２つの配管である第２配管・第３配管の抱持支持が各々可能な構成であり、
前記第１配管支持具の第１係止部と前記第１重連用取付部との接続取付が、前記取付面であって前記吊りボルトの吊下位置に対して配管軸方向の前方位置又は後方位置に一端が固定されて斜めに吊下げられる吊りボルトの如き第１吊下支持杆の他端が前記第１透孔及び第３透孔に挿通されてナット螺合された状態で係合される構成であると共に、
前記第１配管支持具の第２係止部と前記第２重連用取付部との接続取付が、前記取付面であって前記吊りボルトの吊下位置に対して配管軸方向の前方位置又は後方位置であって且つ前記第１吊下支持杆の一端の固定位置と同方向位置に一端が固定されて斜めに吊下げられる吊りボルトの如き第２吊下支持杆の他端が前記第２透孔及び第４透孔に挿通されてナット螺合された状態で係合される構成であり、
更に、前記第２配管支持具・第３配管支持具には、下端部に第３係止部・第４係止部が各々設けられ、且つ、この第３係止部には第５透孔が、第４係止部には第６透孔が、各々形成され、
前記第３係止部の第５透孔・前記第４係止部の第６透孔の各々には、前記取付面であって前記吊りボルトの吊下位置の配管軸方向の後方位置又は前方位置であって且つ前記第１吊下支持杆及び第２吊下支持杆の一端の固定位置とは逆方向位置に各々の一端が固定されて吊下げられる２本の吊りボルトの如き第３吊下支持杆・第４吊下支持杆の各々の他端が前記第５透孔・第６透孔に各々挿通されてナット螺合された状態で係合される構成であり、
前記吊りボルトによる１点支持と、前記第１吊下支持杆・第２吊下支持杆による前方又は後方からの斜め支持の２点支持と、この２点斜め支持とは逆方向からの前記第３吊下支持杆・第４吊下支持杆による後方又は前方からの２点支持とにより、少なくとも合計５点支持構成と成ること、
を特徴とする配管吊下支持具。
【００１６】
２．前記第１係止部・第２係止部の各々が、各々の基点よりも上方部分の前記バンド抱持部の一部を切起された状態で横方向外側に延伸して形成された構成であることを特徴とする上記１に記載の配管吊下支持具。
【００１７】
３．前記第１係止部・第２係止部の各々が、各々の基点よりも下方部分の前記バンド抱持部の一部を切起された状態で横方向外側に延伸して形成された構成であることを特徴とする上記１に記載の配管吊下支持具。
【００１８】
４．前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であること、を特徴とする上記１に記載の配管吊下支持具。
【００１９】
５．前記上方側係止部と前記下方側係止部の各々が、その基点部分から前記バンド抱持部の外周面に沿って折り返し横方向外側に延伸するように折曲された状態で重合された構成であることを特徴とする上記４に記載の配管吊下支持具。
【００２０】
６．前記第１係止部・第２係止部の各々が、前記バンド抱持部の側方部に別材構成の板材の端部を溶接・融着・接着・ネジ留めの如き固着手段により止着した構成であることを特徴とする上記１に記載の配管吊下支持具。
【００２１】
７．前記第１係止部・第２係止部の各々を構成する板材が、断面が略Ｌ字状を有する形状であり、略Ｌ字状の一辺を前記バンド抱持部に止着した構成であることを特徴とする上記６に記載の配管吊下支持具。
【００２２】
８．前記第１係止部・第２係止部の各々が、前記バンド抱持部の側方部が横方向外側に突出するように折曲げて重ねることにより重層状態に形成した構成であることを特徴とする上記１に記載の配管吊下支持具。
【００２３】
９．前記第２配管支持具・第３配管支持具の各々が、両端が接触又は近接して略円形を成して第２配管・第３配管を抱持する第２バンド抱持部・第３バンド抱持部と、第２バンド抱持部・第３バンド抱持部の両端部の各々に連設された第１重連用取付部・第２重連用取付部と、第２バンド抱持部・第３バンド抱持部の各々の下端部分に垂設された第３係止部・第４係止部と、有する構成であることを特徴とする上記１〜８のいずれかに記載の配管吊下支持具。
【００２４】
１０．前記第３係止部・第４係止部の各々が、第２バンド抱持部・第３バンド抱持部の下端部分を基点として該基点より円周方向の一方側部分又は他方側部分を切起された状態で下方向外側に延伸して形成された構成であることを特徴とする上記９に記載の配管吊下支持具。
【００２５】
１１．前記第３係止部・第４係止部の各々が、第２バンド抱持部・第３バンド抱持部の下端部分を基点として該基点の円周方向の両方側部分を各々切り起された状態で下方向外側に各々延伸させて２枚を重合させた状態の構成であることを特徴とする上記９に記載の配管吊下支持具。
【００２６】
１２．２枚を重合させた状態の構成である第３係止部・第４係止部の各々が、切り起こしの基点部分から第２バンド抱持部・第３バンド抱持部の外周面に沿って折り返し横方向外側に延伸するように折曲された状態で重合された構成であることを特徴とする上記１１に記載の配管吊下支持具。
【００２７】
１３．前記第３係止部・第４係止部の各々が、第２バンド抱持部・第３バンド抱持部の下端部分に別材構成の板材の端部を溶接・融着・接着・ネジ留めの如き固着手段により止着した構成であることを特徴とする上記９に記載の配管吊下支持具。
【００２８】
１４．前記第３係止部・第４係止部の各々を構成する板材が、断面が略Ｌ字状を有する形状であり、略Ｌ字状の一辺を前記バンド抱持部に止着した構成であることを特徴とする上記１３に記載の配管吊下支持具。
【００２９】
１５．前記第３係止部・第４係止部の各々が、第２バンド抱持部・第３バンド抱持部の下端部分が下方向外側に突出するように折曲げて重ねることにより重層状態に形成した構成であることを特徴とする上記９に記載の配管吊下支持具。
【００３０】
１６．前記第２配管支持具・第３配管支持具の各々が、相対向して組み合わせることにより円形を成す略半円形状の２つで一組のバンド抱持部と、各々のバンド抱持部の一端から連設された第１重連用取付部・第２重連用取付部を有すると共に、各々のバンド抱持部の他端から連設された第３係止部・第４係止部を有する構成であることを特徴とする上記１〜８のいずれかに記載の配管吊下支持具。
【発明の効果】
【００３１】
請求項１に示す発明によれば、軽量な合成樹脂管の抱持支持に適したものであって、しかも複数本の配管を並列状態で支持する場合において、現場での部品管理や装着時の手間等が増すことなくコストアップを抑制することができ、且つ強い揺れ（配管軸方向における揺れ、配管軸直交方向における揺れ）に対して防振（防震）性を発揮することができる配管吊下支持具を提供することができる。
【００３２】
特に、吊りボルトによる１点吊下支持に加えて、配管軸方向及び配管軸直交方向における揺れに対する防振（防震）性を発揮する第１吊下支持杆・第２吊下支持杆・第３吊下支持杆・第４吊下支持杆による４点吊下支持と、によって少なくとも合計５点吊下支持構成となるので、極めて効果的に強い揺れに対する防振（防震）性を発揮させることができる。従って、揺れ時に生じる、取付面と吊りボルトとの接続部、吊りボルトとタンバックルとの接続部、タンバックルと配管支持具との接続部からバンド抱持部の上端部分までの部分、等の各箇所への負荷を著しく減じることができ、極めて強力な耐震性を発揮させることができる。
【００３３】
請求項２又は３に示す発明によれば、バンド抱持部を切り起こすだけで加工可能であるため、別部材を付加することもないし、切取加工等によって排気が必要となる部材も生じることもなく、低コスト化が可能な上に環境適正にも優れている。
【００３４】
請求項４に示す発明によれば、重合させた２枚構成を有するので１枚構成に比して強度が増すことによって抱持支持の安定性と防振（防震）性が向上する。
【００３５】
請求項５に示す発明によれば、切り起こし形成の基点部分の強度低下を抑制することができる。
【００３６】
請求項６に示す発明によれば、第１配管支持具のバンド抱持部の強度を低下させることなく第１係止部・第２係止部を設けることができる。
【００３７】
請求項７に示す発明によれば、第１係止部・第２係止部のバンド抱持部に対する止着強度を向上させることができる。
【００３８】
請求項８に示す発明によれば、バンド抱持部の一部を折曲げて重ねることにより重層状態に形成した構成により、バンド抱持部の強度を落とすことなく、高強度の第１係止部・第２係止部を得ることができる。しかも、第１係止部・第２係止部は、バンド抱持部を部分的に折曲げただけで加工可能なので、別部材を付加することもないし、切り取り加工等によって廃棄が必要となる部材も生じることもなく、低コスト化が可能なだけでなく、環境適正にも優れている。
【００３９】
請求項９に示す発明によれば、所謂提灯型の配管支持バンドを利用することができるので低コストでの提供が可能である。
【００４０】
請求項１０に示す発明によれば、第２バンド抱持部・第３バンド抱持部を切り起こすだけで加工可能であるため、別部材を付加することもないし、切取加工等によって排気が必要となる部材も生じることもなく、低コスト化が可能な上に環境適正にも優れている。
【００４１】
請求項１１に示す発明によれば、重合させた２枚構成を有するので１枚構成に比して強度が増すことによって抱持支持の安定性と防振（防震）性が向上する。
【００４２】
請求項１２に示す発明によれば、切り起こし形成の基点部分の強度低下を抑制することができる。
【００４３】
請求項１３に示す発明によれば、第２バンド抱持部・第３バンド抱持部の強度を低下させることなく第３係止部・第４係止部を設けることができる。
【００４４】
請求項１４に示す発明によれば、第３係止部・第４係止部の第２バンド抱持部・第３バンド抱持部に対する止着強度を向上させることができる。
【００４５】
請求項１５に示す発明によれば、第２バンド抱持部・第３バンド抱持部の一部を折曲げて重ねることにより重層状態に形成した構成により、第２バンド抱持部・第３バンド抱持部の強度を落とすことなく、高強度の第３係止部・第４係止部を得ることができる。しかも、第３係止部・第４係止部は、第２バンド抱持部・第３バンド抱持部を部分的に折曲げただけで加工可能なので、別部材を付加することもないし、切り取り加工等によって廃棄が必要となる部材も生じることもなく、低コスト化が可能なだけでなく、環境適正にも優れている。
【００４６】
請求項１６に示す発明によれば、両端にバンド端部を有する略半円形状の２つで一組のバンド抱持部から成るフロアバンド型や床バンド型の配管支持バンドを利用することができるので低コストでの提供が可能である。
【図面の簡単な説明】
【００４７】
【図１】本発明に係る配管吊下支持具の使用状態の実施例を示す概略正面図（配管軸方向から見た図）
【図２】図１の概略側面図（配管軸直交方向から見た図）
【図３】図１及び図２の第１配管支持具のみを示す５面図（正面図、平面図、底面図、左側面図、Ａ−Ａ断面図）
【図４】図１及び図２の第２配管支持具・第３配管支持具のみを示す５面図（正面図、平面図、底面図、左側面図、Ｂ−Ｂ断面図）
【図５】第１配管支持具の第１係止部の一例を示す要部拡大断面図
【図６】第１配管支持具の第１係止部の他の例を示す要部拡大断面図
【図７】第１配管支持具の第１係止部の他の例を示す要部拡大断面図
【図８】第１配管支持具の第１係止部の他の例を示す要部拡大正面図
【図９】第１配管支持具の第１係止部の他の例を示す要部拡大正面図
【図１０】第１配管支持具の第１係止部の他の例を示す要部拡大正面図
【図１１】第２配管支持具・第３配管支持具の他の例を示す断面図
【図１２】第２配管支持具・第３配管支持具の他の例を示す正面図
【図１３】第２配管支持具・第３配管支持具の他の例を示す正面図
【図１４】第２配管支持具・第３配管支持具の他の例を示す正面図
【図１５】第２配管支持具・第３配管支持具の他の例を示す正面図
【発明を実施するための形態】
【００４８】
次に、添付の図面に従って本発明を詳細に説明する。
【００４９】
本発明に係る配管吊下支持具は、３本の給水管、給湯管、排水管等の種々配管を、天井スラブに垂設固定された吊りボルトと前記天井スラブから斜めに垂設した吊下支持杆によって防振（防震）状態で５点吊下支持するものである。
【００５０】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００５１】
本発明の配管吊下支持具の具体的構成としては、図１〜図４に示すように、配管Ｐを抱持するバンド抱持部１１と該バンド抱持部１１の上端部に連接されたバンド端部１３を有する配管支持具であって、抱持した配管Ｐを、天井スラブ等の取付面２から複数点支持するものであり、
配管吊下支持具の本体である第１配管支持具１が、２つのバンド抱持部１１・１１によって配管Ｐを抱持可能であり、前記バンド端部１３がタンバックルの如き吊下接続部材３１に接続されることで吊りボルト３からの吊下げが可能な構成の配管支持バンドから成り、
前記２つのバンド抱持部１１・１１の各々について、
該バンド抱持部１１には、配管軸に直交する左右の側方部に、この左右の側方部を基点として横方向外側に延伸する第１係止部１４・第２係止部１５が設けられ、且つ、この第１係止部１４には第１透孔１４Ａが、第２係止部１５には第２透孔１５Ａが各々形成され、
前記第１係止部１４・第２係止部１５には、前記第１配管支持具１とは別なる２つの配管支持具である第２配管支持具４・第３配管支持具５の各々の上端部に連設された第１重連用取付部４２・第２重連用取付部５２が重連状態で接続取付が各々可能であり、
前記第２配管支持具４の第１重連用取付部４２には第３透孔４２Ａが、第２重連用取付部５２には第４透孔５２Ａが、各々形成され、
前記第２配管支持具４・第３配管支持具５の各々は、前記配管Ｐとは別なる２つの配管である第２配管Ｐ２・第３配管Ｐ３の抱持支持が各々可能な構成であり、
前記第１配管支持具１の第１係止部１４と前記第１重連用取付部４２との接続取付が、前記取付面２であって前記吊りボルト３の吊下位置に対して配管軸方向の前方位置又は後方位置に一端が固定されて斜めに吊下げられる吊りボルトの如き第１吊下支持杆６の他端が前記第１透孔１４Ａ及び第３透孔４２Ａに挿通されてナット６１により螺合された状態で係合される構成であると共に、
前記第１配管支持具１の第２係止部１５と前記第２重連用取付部５２との接続取付が、前記取付面２であって前記吊りボルト３の吊下位置に対して配管軸方向の前方位置又は後方位置であって且つ前記第１吊下支持杆６の固定位置と同方向位置に一端が固定されて斜めに吊下げられる吊りボルトの如き第２吊下支持杆７の他端が前記第２透孔１５Ａ及び第４透孔５２Ａに挿通されてナット７１により螺合された状態で係合される構成であり、
更に、前記第２配管支持具４・第３配管支持具５には、下端部に第３係止部４３・第４係止部５３が各々設けられ、且つ、この第３係止部４３には第５透孔４３Ａが、第４係止部５３には第６透孔５３Ａが、各々形成され、
前記第３係止部４３の第５透孔４３Ａ・前記第４係止部５３の第６透孔５３Ａの各々には、前記取付面２であって前記吊りボルト３の吊下位置の配管軸方向の後方位置又は前方位置であって且つ前記第１吊下支持杆６及び第２吊下支持杆７の一端の固定位置とは逆方向位置に各々の一端が固定されて吊下げられる２本の吊りボルトの如き第３吊下支持杆８・第４吊下支持杆９の各々の他端が前記第５透孔４３Ａ・第６透孔５３Ａに各々挿通されてナット８１・９１により螺合された状態で係合される構成であり、
前記吊りボルト３による１点吊下支持と、前記第１吊下支持杆・第２吊下支持杆による前方又は後方からの斜め支持の２点吊下支持と、この２点斜め吊下支持とは逆方向からの前記第３吊下支持杆８・第４支持杆９による後方又は前方からの２点斜め吊下支持により、少なくとも合計５点支持構成と成ること、
を主構成とするものである。
【００５２】
尚、図３に示す符号１６は吊下接続部材３１にバンド端部１３を接続固定するためのボルト・ナットを示し、符号１２は第１配管支持具１のバンド抱持部１１・１１の下端部分を拡開可能に接続する蝶番式の接続部を示す。尚また、接続部１２は、蝶番式に代えて組式であってもよいし、或いは、バンド抱持部１１を接続部１２の無い１本構成とした所謂提灯式の配管支持具を用いてもよい。
【００５３】
以下、本発明の構成について更に詳説する。
【００５４】
本発明の配管吊下支持具を構成する第１配管支持具１、第２配管支持具４及び第３配管支持具５の各々は、この種の配管吊下支持具に用いられる材料として公知公用のものを特別の制限なく用いることができ、好ましくはステンレスやその他の金属製である。
【００５５】
第１配管支持具１の第１係止部１４・第２係止部１５は、その形成に際しての基点位置が本実施例ではバンド抱持部１１・１１の各々の側方部の略中央位置であるが、略中央位置より上方位置或いは下方位置であってもよく、この基点の位置を含めて第１係止部１４・第２係止部１５の延伸角度については、第１配管支持具１に重連状態で接続する第２配管支持具４・第３配管支持具５の配管位置や、第１係止部１４・第２係止部１５に螺合係止される第１吊下支持杆６・第２吊下支持杆７の吊下げ角度等の諸条件によって適宜設定される。
【００５６】
第１係止部１４・第２係止部１５の形成構成としては、図１〜図３に示す本実施例では、切起こし形成により形成されている。即ち、第１係止部１４・第２係止部１５の各々が、各々の基点よりも上方部分の抱持バンド部１１・１１の一部を切起された状態で横方向外側に延伸して形成された上方側係止部１４Ｂ・１５Ｂと、各々の基点よりも下方部分の抱持バンド部１１・１１の一部を切起された状態で横方向外側に延伸して形成された下方側係止部１４Ｃ・１５Ｃと、が重合された状態であり、重合した部分に前記第１透孔１４Ａ・第２透孔１５Ａが貫通形成された構成となっている。図３に示す符号１１Ａ・１１Ｂは切起こし形成により切り起されることで孔部となったバンド抱持部１１・１１の被切起し孔部である。
【００５７】
図５に示すように、第１係止部１４を構成する上方側係止部１４Ｂと下方側係止部１４Ｃは、バンド抱持部１１の側方部を基点として切起してから外側に方向に向かって立ち上げる際に、基点部分から前記バンド抱持部１１の外周面に沿って折り返してから横方向外側に延伸するように折り曲げて重合される構成とすることが好ましい。図５に示す符号１４Ｄはバンド抱持部１１の外周面に沿って折り返した折り返し部である。かかる構成によれば、上方側係止部１４Ｂと下方側係止部１４Ｃの基点部分の強度低下を抑制することができる。尚、図５において、（）内に示す符号は、第２係止部１５の各構成、即ち、上方側係止部１５Ｂ、下方側係止部１５Ｃ、折り返し部１５Ｄ、第２透孔１５Ａを各々示す。
【００５８】
更に、第１係止部１４・第２係止部１５を構成する上方側係止部１４Ｂ・１５Ｂと下方側係止部１４Ｃ・１５Ｃの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００５９】
更にまた、第１係止部１４・第２係止部１５を構成する上方側係止部１４Ｂ・１５Ｂと下方側係止部１４Ｃ・１５Ｃとは、その重合部分をスポット溶接の如き接合手段を用いて接合する構成が好ましく、かかる構成によれば、第１係止部１４・第２係止部１５の重合部分の強度を高くすることができる。
【００６０】
上記構成を有する第１係止部１４・第２係止部１５は上記実施例に限定されず、下記の態様を採ることもできる。
【００６１】
第１係止部１４・第２係止部１５の各々は、上記実施例のように重合した２枚構成に限らず、図６〜図９に示すように１枚構成であってもよい。尚、下記に説明する図６〜図９並びに図１０は、第１係止部１４側のみを示しているが、第２係止部１５についても第１係止部１４と同様の構成を採ることができるため、図示を省略する。
【００６２】
図６に示す態様は、第１係止部１４・第２係止部１５の各々が、その基点よりも上方部分の前記バンド抱持部１１・１１の一部を切起された状態で横方向外側に延伸して形成された構成を示す。
【００６３】
図７に示す態様は、第１係止部１４・第２係止部１５の各々が、その基点よりも下方部分の前記バンド抱持部１１・１１の一部を切起された状態で横方向外側に延伸して形成された構成を示す。
【００６４】
図８に示す態様は、第１係止部１４・第２係止部１５の各々が、前記バンド抱持部１１・１１の側方部に別材構成の板材の端部を溶接・融着・接着・ネジ留めの如き固着手段（本実施例では溶接を示す。）により止着した構成を示す。
【００６５】
図９に示す態様は、第１係止部１４・第２係止部１５の各々を構成する板材が、断面が略Ｌ字状を有する形状であり、略Ｌ字状の一辺を前記バンド抱持部１１・１１に止着した構成を示す。
【００６６】
また、図１０に示す態様は、上記実施例と同様に第１係止部１４・第２係止部１５の各々を２枚構成とした態様の他の実施例であり、本態様では、前記バンド抱持部１１・１１の側方部が横方向外側に突出するように折曲げて重ねることにより重層状態に形成した構成を示す。
【００６７】
次に、第２配管支持具４・第３配管支持具５は、図１、図２及び図４に示す本実施例では、両端が接触又は近接して略円形を成して第２配管Ｐ２・第３配管Ｐ３を抱持する第２バンド抱持部４１・第３バンド抱持部５１と、第２バンド抱持部４１・第３バンド抱持部５１の両端部の各々に連設された第１重連用取付部４２・第２重連用取付部５２と、を有して構成される提灯式の配管支持バンドを基本構成とし、第２バンド抱持部４１・第３バンド抱持部５１の各々の下端部分に第３係止部４３・第４係止部５３が垂設された構成を有する。
【００６８】
そして第３係止部４３・第４係止部５３の形成構成としては、上記の本実施例では切起こし形成により形成されている。即ち、第３係止部４３・第４係止部５３の各々は、第２バンド抱持部４１・第３バンド抱持部５１の下端部分を基点として該基点の円周方向の両方側部分を各々切り起された状態で下方向外側に各々延伸させて２枚を重合させた状態の構成である。図４に示す符号４１Ａ・４１Ｂは切起こし形成により切り起されることで孔部となった第２バンド抱持部４１の被切起し孔部であり、符号５１Ａ・５１Ｂは切起こし形成により切り起されることで孔部となった第３バンド抱持部５１の被切起し孔部である。
【００６９】
第３係止部４３・第４係止部５３の各々は、各々の基点部分から前記第２バンド抱持部４１・第３バンド抱持部５１の外周面に沿って折り返してから横方向外側に延伸するように折り曲げて重合される構成とすることが好ましい。
【００７０】
上記構成を有する第３係止部４３・第４係止部５３は上記実施例に限定されず、例えば、図１１〜図１５に示す下記の態様を採ることもできる。尚、図１１〜図１５において、（）内に示す符号は、第３配管支持具５及びその各構成部分である第３バンド抱持部５１、被切起し孔部５１Ａ、第２重連用取付部５２、第４透孔５２Ａ、第４係止部５３、第６透孔５３Ａを各々示す。
【００７１】
図１１に示す態様は、第３係止部４３・第４係止部５３の各々が、その基点より円周方向の一方側部分又は他方側部分（本実施例では図１１において左側の一方側部分）の第２バンド抱持部４１・第３バンド抱持部５１の一部を切起された状態で横方向外側に延伸して形成された構成を示す。
【００７２】
図１２に示す態様は、第３係止部４３・第４係止部５３の各々が、第２バンド抱持部４１・第３バンド抱持部５１の下端部分に別材構成の板材の端部を溶接・融着・接着・ネジ留めの如き固着手段（本実施例では溶接を示す。）により止着した構成を示す。
【００７３】
図１３に示す態様は、第３係止部４３・第４係止部５３の各々を構成する板材が、断面が略Ｌ字状を有する形状であり、略Ｌ字状の一辺を前記バンド抱持部に止着した構成を示す。
【００７４】
図１４に示す態様は、第３係止部４３・第４係止部５３の各々が、第２バンド抱持部４１・第３バンド抱持部５１の下端部分が下方向外側に突出するように折曲げて重ねることにより重層状態に形成した構成を示す。
【００７５】
また、第２配管支持具４・第３配管支持具５の構成としては、上記した実施例では基本構成が提灯式の配管支持バンドを用いているが、図１５に示す態様では、第２配管支持具４・第３配管支持具５の各々が、相対向して組み合わせることにより円形を成す略半円形状の２つで一組のバンド抱持部４１・５１と、各々のバンド抱持部４１・５１の一端から連設された第１重連用取付部４２・第２重連用取付部５２を有すると共に、各々のバンド抱持部４１・５１の他端から連設された第３係止部４３・第４係止部５３を設ける構成を示している。
【００７６】
以上の構成を有する本発明の配管吊下支持具は、その使用に際して図１及び図２に示すように、
天井スラブ等の取付面２に一端が固定された吊りボルト３にタンバックルの如き吊下接続部材３１を介してバンド端部１３をボルト・ナット１６により固定することで第１配管支持具１を前記取付面２に吊下支持し（第１点目の吊下支持）、
次に、前記取付面２に一端が固定され、斜め吊下げする公知公用の吊りボルトの如き第１吊下支持杆６の他端を第１係止部１４の第１透孔１４Ａに挿通し、この第１吊下支持杆６の他端を更に第２配管支持具４の第１重連用取付部４２の第３透孔４２Ａに挿通してナット６１・６１を螺合緊締することによって第２配管支持具４の重連接続と共に斜め吊下支持する（第２点目の吊下支持）と共に、
前記取付面２に一端が固定され、斜め吊下げする公知公用の吊りボルトの如き第２吊下支持杆７の他端を第２係止部１５の第２透孔１５Ａに挿通し、この第２吊下支持杆７の他端を更に第３配管支持具５の第２重連用取付部５２の第４透孔５２Ａに挿通してナット７１・７１を螺合緊締することによって第３配管支持具５の重連接続と共に斜め吊下支持し（第３点目の吊下支持）、
更に、前記取付面２に一端が固定され、斜め吊下げする公知公用の吊りボルトの如き第３吊下支持杆８の他端を第２配管支持具４の第３係止部４３の第５透孔４３Ａに挿通してナット８１・８１を螺合緊締することによって斜め吊下支持する（第４点目の吊下支持）と共に、
前記取付面２に一端が固定され、斜め吊下げする公知公用の吊りボルトの如き第４吊下支持杆９の他端を第３配管支持具５の第４係止部５３の第６透孔５３Ａに挿通してナット９１を螺合緊締することによって斜め吊下支持する（第５点目の吊下支持）ことによって、
３本の配管Ｐ・Ｐ２・Ｐ３を５点吊下支持することができる。
【００７７】
尚、図１及び図２では、第１係止部１４及び第１重連用取付部４２に対する第１吊下支持杆６の接続、第２係止部１５及び第２重連用取付部５２に対する第２吊下支持杆７の接続、第３係止部４３に対する第３吊下支持杆８の接続、第４係止部５３に対する第４吊下支持杆９の接続は、いずれも第１係止部１４及び第１重連用取付部４２・第２係止部１５及び第２重連用取付部５２・第３係止部４３・第４係止部５３の接続部分の面に対して斜めに接続されるため、第１透孔１４Ａ及び第３透孔４２Ａ・第２透孔１５Ａ及び第４透孔５２Ａに・第５透孔４３Ａ・第６透孔５３Ａ対して斜めに挿通された状態でナット６１・ナット７１・ナット８１・ナット９１により螺合緊締された状態を示しているが、第１係止部１４及び第１重連用取付部４２・第２係止部１５及び第２重連用取付部５２・第３係止部４３・第４係止部５３を現場等において第１吊下支持杆６・第２吊下支持杆７・第３吊下支持杆８・第４吊下支持杆９の斜め角度に応じて曲げ調整してもよい。
【００７８】
上記の５点吊下支持によれば、吊りボルト３による吊下支持に加えて、配管軸方向及び配管軸直交方向における揺れに対する防振（防震）性を発揮する第１吊下支持杆６・第２吊下支持杆７・第３吊下支持杆８・第４吊下支持杆９を係合する５点吊下支持構成によって、極めて効果的に強い揺れに対する防振（防震）性を発揮させることができる。従って、揺れ時に生じる、取付面２と吊りボルト３との接続部、吊りボルト３とタンバックルとの接続部、タンバックルと配管支持具との接続部からバンド抱持部の上端部分までの部分、等の各箇所への負荷を著しく減じることができ、極めて強力な耐震性を発揮させることができる。
【符号の説明】
【００７９】
１  第１配管支持具
１１  バンド抱持部
１１Ａ  被切起し孔部
１１Ｂ  被切起し孔部
１２  接続部
１３  バンド端部
１４  第１係止部
１４Ａ  第１透孔
１４Ｂ  上方側係止部
１４Ｃ  下方側係止部
１４Ｄ  折り返し部
１５  第２係止部
１５Ａ  第２透孔
１５Ｂ  上方側係止部
１５Ｃ  下方側係止部
１５Ｄ  折り返し部
１６  ボルト・ナット
２  取付面
３  吊りボルト
３１  吊下接続部材
４  第２配管支持具
４１  第２バンド抱持部
４１Ａ  被切起し孔部
４１Ｂ  被切起し孔部
４２  第１重連用取付部
４２Ａ  第３透孔
４３  第３係止部
４３Ａ  第５透孔
５  第３配管支持具
５１  第３バンド抱持部
５１Ａ  被切起し孔部
５１Ｂ  被切起し孔部
５２  第２重連用取付部
５２Ａ  第４透孔
５３  第４係止部
５３Ａ  第６透孔
６  第１吊下支持杆
６１  ナット
７  第２吊下支持杆
７１  ナット
８  第３吊下支持杆
８１  ナット
９  第４吊下支持杆
９１  ナット
Ｐ  配管
Ｐ２  第２配管
Ｐ３  第３配管
【図１】
2018105321.tif 000003
【図２】
2018105321.tif 000004
【図３】
2018105321.tif 000005
【図４】
2018105321.tif 000006
【図５】
2018105321.tif 000007
【図６】
2018105321.tif 000008
【図７】
2018105321.tif 000009
【図８】
2018105321.tif 000010
【図９】
2018105321.tif 000011
【図１０】
2018105321.tif 000012
【図１１】
2018105321.tif 000013
【図１２】
2018105321.tif 000014
【図１３】
2018105321.tif 000015
【図１４】
2018105321.tif 000016
【図１５】
2018105321.tif 000017
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
配管を抱持するバンド抱持部と該バンド抱持部の上端部に連接されたバンド端部を有する配管支持具であって、抱持した配管を、天井スラブ等の取付面から複数点支持する配管吊下支持具において、
配管吊下支持具の本体である第１配管支持具が、バンド抱持部によって配管を抱持可能であり、前記バンド端部が吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部・第２係止部には、前記第１配管支持具とは別なる２つの配管支持具で
ある第２配管支持具・第３配管支持具の各々の上端部に連設された第１重連用取付部・第２重連用取付部が重連状態で接続取付が各々可能であり、
前記第２配管支持具の第１重連用取付部には第３透孔が、第２重連用取付部には第４透孔が、各々形成され、
前記第２配管支持具・第３配管支持具の各々は、前記配管とは別なる２つの配管である第２配管・第３配管の抱持支持が各々可能な構成であり、
前記第１配管支持具の第１係止部と前記第１重連用取付部との接続取付が、前記取付面であって前記吊りボルトの吊下位置に対して配管軸方向の前方位置又は後方位置から斜めに吊下げられる第１吊下支持杆が前記第１透孔及び第３透孔に挿通されてナット螺合された状態で係合される構成であると共に、
前記第１配管支持具の第２係止部と前記第２重連用取付部との接続取付が、前記取付面であって前記吊りボルトの吊下位置に対して配管軸方向の前方位置又は後方位置であって且つ前記第１吊下支持杆と同方向位置から斜めに吊下げられる第２吊下支持杆が前記第２透孔及び第４透孔に挿通されてナット螺合された状態で係合される構成であり、
更に、前記第２配管支持具・第３配管支持具には、下端部に第３係止部・第４係止部が各々設けられ、且つ、この第３係止部には第５透孔が、第４係止部には第６透孔が、各々形成され、
前記第３係止部の第５透孔・前記第４係止部の第６透孔の各々には、前記取付面であって前記吊りボルトの吊下位置の配管軸方向の後方位置又は前方位置であって且つ前記第１吊下支持杆及び第２吊下支持杆とは逆方向位置から斜めに吊下げられる第３吊下支持杆・第４吊下支持杆が前記第５透孔・第６透孔に各々挿通されてナット螺合された状態で係合される構成であり、
前記吊りボルトによる１点支持と、前記第１吊下支持杆・第２吊下支持杆による前方又は後方からの斜め支持の２点支持と、この２点斜め支持とは逆方向からの前記第３吊下支持杆・第４吊下支持杆による後方又は前方からの２点支持とにより、少なくとも合計５点支持構成と成ること、
を特徴とする配管吊下支持具。
【請求項２】
前記第１係止部・第２係止部の各々が、各々の基点よりも上方部分の前記バンド抱持部の一部を切起された状態で横方向外側に延伸して形成された構成であることを特徴とする請求項１に記載の配管吊下支持具。
【請求項３】
前記第１係止部・第２係止部の各々が、各々の基点よりも下方部分の前記バンド抱持部の一部を切起された状態で横方向外側に延伸して形成された構成であることを特徴とする請求項１に記載の配管吊下支持具。
【請求項４】
前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であること、を特徴とする請求項１に記載の配管吊下支持具。
【請求項５】
前記上方側係止部と前記下方側係止部の各々が、その基点部分から前記バンド抱持部の外周面に沿って折り返し横方向外側に延伸するように折曲された状態で重合された構成であることを特徴とする請求項４に記載の配管吊下支持具。
【請求項６】
前記第１係止部・第２係止部の各々が、前記バンド抱持部の側方部に別材構成の板材の端部を固着手段により止着した構成であることを特徴とする請求項１に記載の配管吊下支持具。
【請求項７】
前記第１係止部・第２係止部の各々を構成する板材が、断面が略Ｌ字状を有する形状であり、略Ｌ字状の一辺を前記バンド抱持部に止着した構成であることを特徴とする請求項６に記載の配管吊下支持具。
【請求項８】
前記第１係止部・第２係止部の各々が、前記バンド抱持部の側方部が横方向外側に突出するように折曲げて重ねることにより重層状態に形成した構成であることを特徴とする請求項１に記載の配管吊下支持具。
【請求項９】
前記第２配管支持具・第３配管支持具の各々が、両端が接触又は近接して略円形を成して第２配管・第３配管を抱持する第２バンド抱持部・第３バンド抱持部と、第２バンド抱持部・第３バンド抱持部の両端部の各々に連設された第１重連用取付部・第２重連用取付部と、第２バンド抱持部・第３バンド抱持部の各々の下端部分に垂設された第３係止部・第４係止部と、有する構成であることを特徴とする請求項１〜８のいずれかに記載の配管吊下支持具。
【請求項１０】
前記第３係止部・第４係止部の各々が、第２バンド抱持部・第３バンド抱持部の下端部分を基点として該基点より円周方向の一方側部分又は他方側部分を切起された状態で下方向外側に延伸して形成された構成であることを特徴とする請求項９に記載の配管吊下支持具。
【請求項１１】
前記第３係止部・第４係止部の各々が、第２バンド抱持部・第３バンド抱持部の下端部分を基点として該基点の円周方向の両方側部分を各々切り起された状態で下方向外側に各々延伸させて２枚を重合させた状態の構成であることを特徴とする請求項９に記載の配管吊下支持具。
【請求項１２】
２枚を重合させた状態の構成である第３係止部・第４係止部の各々が、切り起こしの基点部分から第２バンド抱持部・第３バンド抱持部の外周面に沿って折り返し横方向外側に延伸するように折曲された状態で重合された構成であることを特徴とする請求項１１に記載の配管吊下支持具。
【請求項１３】
前記第３係止部・第４係止部の各々が、第２バンド抱持部・第３バンド抱持部の下端部分に別材構成の板材の端部を固着手段により止着した構成であることを特徴とする請求項９に記載の配管吊下支持具。
【請求項１４】
前記第３係止部・第４係止部の各々を構成する板材が、断面が略Ｌ字状を有する形状であり、略Ｌ字状の一辺を前記バンド抱持部に止着した構成であることを特徴とする請求項１３に記載の配管吊下支持具。
【請求項１５】
前記第３係止部・第４係止部の各々が、第２バンド抱持部・第３バンド抱持部の下端部分が下方向外側に突出するように折曲げて重ねることにより重層状態に形成した構成であることを特徴とする請求項９に記載の配管吊下支持具。
【請求項１６】
前記第２配管支持具・第３配管支持具の各々が、相対向して組み合わせることにより円形を成す略半円形状の２つで一組のバンド抱持部と、各々のバンド抱持部の一端から連設された第１重連用取付部・第２重連用取付部を有すると共に、各々のバンド抱持部の他端から連設された第３係止部・第４係止部を有する構成であることを特徴とする請求項１〜８のいずれかに記載の配管吊下支持具。
【手続補正２】
【補正対象書類名】明細書
【補正対象項目名】００１５
【補正方法】変更
【補正の内容】
【００１５】
１．配管を抱持するバンド抱持部と該バンド抱持部の上端部に連接されたバンド端部を有する配管支持具であって、抱持した配管を、天井スラブ等の取付面から複数点支持する配管吊下支持具において、
配管吊下支持具の本体である第１配管支持具が、バンド抱持部によって配管を抱持可能であり、前記バンド端部が吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部・第２係止部には、前記第１配管支持具とは別なる２つの配管支持具で
ある第２配管支持具・第３配管支持具の各々の上端部に連設された第１重連用取付部・第２重連用取付部が重連状態で接続取付が各々可能であり、
前記第２配管支持具の第１重連用取付部には第３透孔が、第２重連用取付部には第４透孔が、各々形成され、
前記第２配管支持具・第３配管支持具の各々は、前記配管とは別なる２つの配管である第２配管・第３配管の抱持支持が各々可能な構成であり、
前記第１配管支持具の第１係止部と前記第１重連用取付部との接続取付が、前記取付面であって前記吊りボルトの吊下位置に対して配管軸方向の前方位置又は後方位置から斜めに吊下げられる第１吊下支持杆が前記第１透孔及び第３透孔に挿通されてナット螺合された状態で係合される構成であると共に、
前記第１配管支持具の第２係止部と前記第２重連用取付部との接続取付が、前記取付面であって前記吊りボルトの吊下位置に対して配管軸方向の前方位置又は後方位置であって且つ前記第１吊下支持杆と同方向位置から斜めに吊下げられる第２吊下支持杆が前記第２透孔及び第４透孔に挿通されてナット螺合された状態で係合される構成であり、
更に、前記第２配管支持具・第３配管支持具には、下端部に第３係止部・第４係止部が各々設けられ、且つ、この第３係止部には第５透孔が、第４係止部には第６透孔が、各々形成され、
前記第３係止部の第５透孔・前記第４係止部の第６透孔の各々には、前記取付面であって前記吊りボルトの吊下位置の配管軸方向の後方位置又は前方位置であって且つ前記第１吊下支持杆及び第２吊下支持杆とは逆方向位置から斜めに吊下げられる第３吊下支持杆・第４吊下支持杆が前記第５透孔・第６透孔に各々挿通されてナット螺合された状態で係合される構成であり、
前記吊りボルトによる１点支持と、前記第１吊下支持杆・第２吊下支持杆による前方又は後方からの斜め支持の２点支持と、この２点斜め支持とは逆方向からの前記第３吊下支持杆・第４吊下支持杆による後方又は前方からの２点支持とにより、少なくとも合計５点支持構成と成ること、
を特徴とする配管吊下支持具。
【手続補正３】
【補正対象書類名】明細書
【補正対象項目名】００２０
【補正方法】変更
【補正の内容】
【００２０】
６．前記第１係止部・第２係止部の各々が、前記バンド抱持部の側方部に別材構成の板材の端部を固着手段により止着した構成であることを特徴とする上記１に記載の配管吊下支持具。
【手続補正４】
【補正対象書類名】明細書
【補正対象項目名】００２７
【補正方法】変更
【補正の内容】
【００２７】
１３．前記第３係止部・第４係止部の各々が、第２バンド抱持部・第３バンド抱持部の下端部分に別材構成の板材の端部を固着手段により止着した構成であることを特徴とする上記９に記載の配管吊下支持具。